(57)【要約】  デュアルディスプレイモバイル装置は、第１のディスプレイを有する第１の装置及び第２のディスプレイを有する第２の装置を備える。モバイル装置は移動携帯電話として動作することができる。モバイル装置の閉じた構成において、第１のディスプレイが露出され、第２のディスプレイが隠される。開いた構成において、両方のディスプレイが露出される。分離された構成において、第２の装置は第１の装置から分離され、第２の装置は携帯電話のハンドセットとして動作することができる。分離された第１及び第２の装置は無線で通信することができる。取り外し可能な第２の装置は、ユーザーがユーザーの耳から第２の装置を離す必要なしに携帯電話の全機能を利用することを可能にし、したがって、通話のプライバシーを保持することができる。第１及び第２のディスプレイは、開いた構成、閉じた構成もしくは分離された構成において、互いにインタラクトすることができ、又は、独立して動作することができる。
2013514737.tif 000002
【特許請求の範囲】
【請求項１】
第１のディスプレイ及び第１の無線モデムを有する第１の装置と、
第２のディスプレイ及び第２の無線モデムを有する第２の装置であって、携帯電話のハンドセットとして動作可能な第２の装置と
を備え、前記第１及び第２の装置は、閉じた構成において前記第１及び第２の装置が取り付けられて前記第２のディスプレイが前記第１の装置の下に隠れ、開いた構成において前記第１及び第２の装置が取り付けられて前記第１及び第２のディスプレイが両方とも可視であって単一の統合されたディスプレイとして機能し、分離した構成において前記第１及び第２の装置がそれらの間での無線通信のために互いから分離されるように、互いに対してスライド可能に取り付けることができ、互いから解放可能である、携帯電話。
【請求項２】
前記第１及び第２のディスプレイが前記開いた構成において互いに実質的に平坦になることを可能にするように、前記第２の装置が前記第１の装置に対して水平方向及び垂直方向の両方にスライドすることができる請求項１に記載の携帯電話。
【請求項３】
前記第１の装置が前記第１の無線モデムから分離されたセルラーモデムをさらに含む請求項１又は２に記載の携帯電話。
【請求項４】
前記第１及び第２の装置を電気的に接続するコネクターをさらに備え、前記第１及び第２の装置は前記コネクターを使用して物理的に接続される場合に電気的に通信し、分離される場合に無線で通信するように動作可能である請求項１乃至３のいずれか１項に記載の携帯電話。
【請求項５】
前記第１の装置が、前記第２の装置が前記第１の装置に接続されるか前記第１の装置から分離されるかを監視するように構成され且つ前記監視に基づいて前記第２の装置との通信のモードを自動的に切り替える、コントローラーを含む請求項１乃至４のいずれか１項に記載の携帯電話。
【請求項６】
前記第２の装置が前記第２の無線モデムから分離されたセルラーモデムをさらに含む請求項１乃至５のいずれか１項に記載の携帯電話。
【請求項７】
携帯電話の使用方法であって、
第１及び第２の装置を、互いに解放可能に取り付けることができる前記携帯電話の一部として提供するステップと、
前記第１の装置の第１のディスプレイ上に第１のコンテンツを表示するステップと、
前記第２の装置の第２のディスプレイ上に前記第１のコンテンツに関連付けられる第２のコンテンツを表示するステップと、
無線通信ネットワークから携帯電話呼を受信するステップと、
携帯電話の通話中に、前記第１及び第２の装置の間で無線で通信する一方、同時に前記無線通信ネットワークと通信するステップと
を含む方法。
【請求項８】
前記第１の装置からの前記第２の装置の分離を検出するステップと、
前記第１及び第２の装置の間の通信のモードを無線に切り替えるステップと
をさらに含む請求項７に記載の方法。
【請求項９】
前記携帯電話の通話中に別個のハンドセットとして機能するように前記第１及び第２の装置を動作させるステップをさらに含む請求項７又は８に記載の方法。
【請求項１０】
前記第１のコンテンツを表示するステップ及び前記第２のコンテンツを表示するステップは、前記第１及び第２のディスプレイを統合されたディスプレイとして動作させるステップを含む請求項７乃至９のいずれか１項に記載の方法。
【請求項１１】
前記携帯電話の通話中に、
前記第１のディスプレイにおいて追加のユーザー入力を受信するステップと、
前記追加のユーザー入力に応答して情報にアクセスするために移動体通信ネットワークと無線で通信するステップと、
前記第１のディスプレイ上に前記アクセスされた情報を表示するステップと
をさらに含む請求項７乃至１０のいずれか１項に記載の方法。
【請求項１２】
前記携帯電話の現在位置を決定するステップと、
前記携帯電話の通話中に、前記第１のディスプレイに表示される地図上に前記携帯電話の現在位置を表示するステップと、
前記携帯電話の通話の相手に関連付けられる位置情報を受信するステップと、
前記地図上に前記相手の位置を表示するステップと
をさらに含む請求項７乃至１１のいずれか１項に記載の方法。
【請求項１３】
前記第１のディスプレイにおいて受信されるユーザー入力に応答して前記第２のディスプレイを更新するステップをさらに含む請求項７乃至１２のいずれか１項に記載の方法。
【請求項１４】
前記第１及び第２のディスプレイが開いた構成において互いに実質的に平坦になることを可能にするように、前記第２の装置が前記第１の装置に対して水平方向及び垂直方向の両方にスライドすることができる請求項７乃至１３のいずれか１項に記載の方法。
【請求項１５】
前記第１及び第２の装置を電気的に接続するコネクターをさらに備え、前記第１及び第２の装置は前記コネクターを使用して物理的に接続される場合に電気的に通信し、分離される場合に無線で通信する請求項７乃至１４のいずれか１項に記載の方法。
【発明の詳細な説明】
【技術分野】
【０００１】
[001]本発明は、デュアルディスプレイモバイル装置に関し、より具体的には、携帯電話として動作することができるデュアルディスプレイモバイル装置に関する。
【背景技術】
【０００２】
[002]現在の携帯電話は、近年、幅広い能力を有するまでに発展してきた。携帯電話は、携帯電話呼をかけたり受けたり、マルチメディアメッセージ（ＭＭＳ）をやりとりしたり、電子メールを送受信したりできるだけでなく、インターネットにアクセスすることができ、ＧＰＳ対応であり、かなりの処理能力及び大量のメモリーを有し、タッチ入力を検出することができる高解像度のカラー液晶ディスプレイを備える。このように、今日の携帯電話は、多数のアプリケーションを実行できる汎用コンピューティング装置及び通信装置である。たとえば、現在の携帯電話は、ウェブブラウザー、ナビゲーションシステム、メディアプレーヤー及びゲームアプリケーションを実行することができる。
【発明の概要】
【発明が解決しようとする課題】
【０００３】
[003]これらの拡張された機能に加えて、より豊富なユーザー経験を提供するために大型ディスプレイに対する需要が生じている。携帯電話のディスプレイは、携帯電話のほぼ全体の視野面を使えるまでにサイズが増加している。ディスプレイのサイズをさらに大きくするには、電話自体のサイズを大きくする必要がある。ユーザーは自分の携帯電話が自分の手やシャツやズボンのポケットに楽に収まるようにしたいので、これは望ましいことではない。
【０００４】
[004]現在の携帯電話の別の制限は、ユーザーは通常、通話中に携帯電話の完全な能力を使用できないということである。これは、たとえば、ユーザーが電話が自分の耳まで持ち上げられているときに電話のディスプレイを見ることができないためである。別個のイヤホンやワイヤレスヘッドセットは、ユーザーが通話中に携帯電話のディスプレイを見たり「電話でないもの（non-phone）」を利用することを可能にするが、これらの周辺コンポーネントは欠点を有する。ユーザーはこれらの追加コンポーネントを追跡する必要があり、ワイヤレスヘッドセットは使用前に充電する必要がある。さらに、一部のユーザーは、単にヘッドセットを着用することを好まない。通話をしながらディスプレイを表示するための別の選択肢として、ユーザーは携帯電話のスピーカーフォンモードを利用することができる。しかし、このモードは、多くの場合、特にスピーカーの音量を増加させることを含む。したがって、誰かが聞こえる距離内にいる場合には、通話のプライバシーが失われる。さらに、携帯電話のスピーカーは、ユーザーの耳から１又は２フィートより遠く離れることがあるので、あらゆる周囲雑音のなかでスピーカーを聞くことはより難しいかもしれない。したがって、便利なサイズであるけれどもユーザーが装置の機能をフルに利用することができるモバイル通信装置を提供することが望ましい。
【課題を解決するための手段】
【０００５】
[005]プライベートな通話を行いながらユーザーが装置の全機能を利用することができる携帯型移動通信装置が開示される。
[006]１つの実施例では、携帯電話は、２つの別個の装置上の２つのディスプレイを含む。別個の装置は取り付けることができ、２つのディスプレイは統合されたディスプレイとして使用することができ、また、装置は引き離すことができ、装置は互いに無線で通信できる。
【０００６】
[007]別の実施例では、携帯電話は、開いて拡張された状態及び閉じて縮小された状態を含んでもよい。開いた状態において、ユーザーが単一の統合されたディスプレイがあるように感じるように、両方のディスプレイを見ることができ、同一平面にあるようにすることができる。たとえば、あるアプリケーション（例えば、地図アプリケーション）は、両方のディスプレイの間に広がってもよい。閉じた状態において、第２のディスプレイは、携帯電話のサイズが小さくなり、簡単に運ぶことができるように、第１の装置の下にしまい込むことができる。
【０００７】
[008]さらに別の実施例では、装置のいずれか又は両方は、ユーザー入力を受信するための加速度計を含んでもよい。加速度計からのユーザー入力はゲームアプリケーションに使用することができる。たとえば、第２の装置は、第１の装置に動きの情報を無線で通信するゲームコントロールとして使用することができる。
【０００８】
[009]さらなる実施例において、第１及び／又は第２の装置のコントローラーは、第１及び第２の装置間の分離を監視し、物理的な電気コネクターが使用される通信の第１のモードと無線通信が使用される通信の第２のモードとの間で自動的に切り替えることができる。
【０００９】
[010]さらに別の実施例では、第１及び第２の装置の両方は、無線通信ネットワークと同時に通信している間に、互いの間で無線で通信することができる。したがって、第２の装置が第１の装置と絶えず無線通信する端末として機能する一方、例えば、第１の装置は、無線通信ネットワークと通信するための基本ユニットとして使用することができる。さらに、両方の装置は、通話の一方の側にいる二人がプライベートな会話に参加できるようにするための携帯電話として使用することができる。
【００１０】
[011]本発明のこれら及び他の態様、特徴並びに利点は、以下の説明及び参照される図面から明らかになろう。
【図面の簡単な説明】
【００１１】
【図１ａ】[012]閉じた構成の例示的なデュアルディスプレイモバイル装置の上面と側面の断面を示す。
【図１ｂ】[013]開いた構成の例示的なデュアルディスプレイモバイル装置の上面と側面の断面を示す。
【図２ａ】[014]閉じられてくっつけられた構成の例示的なデュアルディスプレイモバイル装置の斜視図を示す。
【図２ｂ】[015]開かれてくっつけられた構成の例示的なデュアルディスプレイモバイル装置の斜視図を示す。
【図２ｃ】[016]開かれて分離された構成の例示的なデュアルディスプレイモバイル装置の斜視図を示す。
【図２ｄ】[017]閉じられて分離された構成の例示的なデュアルディスプレイモバイル装置の斜視図を示す。
【図３ａ】[018]第２の装置が低い位置にある場合の開かれてくっつけられた構成の例示的なデュアルディスプレイモバイル装置の側面の断面を示す。
【図３ｂ】[019]第２の装置が持ち上げられた位置にある場合の開かれてくっつけられた構成の例示的なデュアルディスプレイモバイル装置の側面の断面を示す。
【図４ａ】[020]閉じた状態の例示的なデュアルディスプレイモバイル装置の上面と側面の断面を示す。
【図４ｂ】[021]開いた状態と閉じた状態との間の中間の位置にある例示的なデュアルディスプレイモバイル装置の上面と側面の断面を示す。
【図４ｃ】[022]閉じた状態における平面的な前面及び背面を有する例示的なデュアルディスプレイモバイル装置の上面と側面の断面を示す。
【図５ａ】[023]閉じられてくっつけられた構成の例示的なデュアルディスプレイモバイル装置の斜視図及び側面図を示す。
【図５ｂ】[024]開かれてくっつけられた構成の例示的なデュアルディスプレイモバイル装置の斜視図及び側面図を示す。
【図５ｃ】[025]分離された構成の例示的なデュアルディスプレイモバイル装置の斜視図及び側面図を示す。
【図６】[026]共有ディスプレイとして動作する第１及び第２のディスプレイに表示される地図アプリケーションを実行する例示的なデュアルディスプレイモバイル装置の上面図を示す。
【図７】[027]地図アプリケーションの出力を示す第１のディスプレイ及びアプリケーションアイコンを示す第２のディスプレイを備える例示的なデュアルディスプレイモバイル装置の上面図を示す。
【図８】[028]ハードウェアコンポーネントを示す例示的なデュアルディスプレイモバイル装置のフローチャートである。
【図９】[029]ハンドセットとして使用される第２の装置を備える携帯電話として例示的なデュアルディスプレイモバイル装置を操作するユーザーを示す。
【図１０】[030]携帯電話としてデュアルディスプレイモバイル装置を動作させる方法の第１の実施例のフローチャートである。
【図１１】[031]通話中に移動体通信ネットワークと無線で通信するために図１０に示すフローチャートの一部として実行することができる追加の動作のフローチャートである。
【図１２】[032]地図上に携帯電話の位置及び呼に対する別のパーティーを表示するために図１０に示すフローチャートの一部として実行することができる追加の動作のフローチャートである。
【図１３】[033]テレビに動画を出力する第１の装置のリモートゲームコントローラーとして動作する例示的なデュアルディスプレイモバイル装置の第２の装置を示す。
【図１４】[034]携帯電話としてデュアルディスプレイモバイル装置を動作させる方法の第２の実施例のフローチャートである。
【図１５】[035]分離された構成においてヒンジ端を有する第１の装置を含む例示的なデュアルディスプレイモバイル装置を示す。
【発明を実施するための形態】
【００１２】
[036]本明細書及び特許請求の範囲において使用されるとき、単数形や「前記」という表現は、文脈においてそうではないと明確に指示されない限り複数形を含む。さらに、この「含む」という語は「備える」を意味する。
【００１３】
[037]本明細書に記載されるシステム、装置及び方法はいかなるようにも限定的であるものとして解釈されるべきではない。そうではなく、本開示は、単独での、様々な組み合わせでの、及び互いとのサブコンビネーションでの、様々な開示される実施例のすべての新規であり且つ自明でない特徴及び態様を対象とする。開示されたシステム、方法及び装置は、いかなる特定の態様もしくは特徴又はそれらの組み合わせに限定されず、開示されたシステム、方法及び装置は、いずれの１つ又は複数の特定の利点が存在すること又は問題が解決されることを要求しない。
【００１４】
[038]開示された方法のいくつかのについての動作は、都合よく提示するために特定の順序で記載されるが、特定の順序が以下に記載する特定の言語によって要求されない限り、このような方法の記載は再配置を包含することを理解すべきである。たとえば、連続して記載される動作は、いくつかの場合には、同時に再配置又は実行することができる。さらに、簡略化のために、添付の図面は、開示されたシステム、方法及び装置が他のシステム、方法及び装置と組み合わせて使用することができる様々な方法を示すことができない。また、本明細書においては、時折、開示される方法を説明するために、「生成する」及び「提供する」などの語を使用する。これらの語は、実行される実際の動作についての高レベルの抽象的概念である。これらの語に対応する実際の動作は、特定の実施例によって異なり、当業者によって容易に認識できる。
【００１５】
[039]本開示の装置又は方法に関連して本明細書において示される動作の理論、科学的な原理又は他の理論的な説明は、より良い理解のために提供されるものであり、範囲を限定することを意図するものではない。添付の特許請求の範囲における装置及び方法は、そのような動作の理論によって説明される方法で機能するそれらの装置及び方法に限定されない。
【００１６】
[040]ここで図面を参照すると、図１（ａ）及び（ｂ）は、第１の部分１２０及び第２の部分１３０を有する例示的なデュアルディスプレイモバイル通信装置（モバイル装置）１００を示す。第１の部分１２０は第１のディスプレイ１１０を含み、第２の部分１３０は第２のディスプレイ１６０を含む。モバイル装置１００は、移動体通信ネットワーク（セルラー、衛星など）を介した移動体通信（電話通信、マルチメディアメッセージ（ＭＭＳ）、データ伝送など）が可能である。モバイル装置１００は、電子メール、カレンダー及びアドレス帳プログラムなどの標準的な生産性ソフトウェアを実行することができるほか、いくつかの例を示すと、ウェブブラウザー、ゲームシステム、メディアプレイヤー、フォトギャラリー、及び／又は、ナビゲーションシステムとして動作することができる。モバイル装置１００は、多種多様な追加のアプリケーションをダウンロードして実行するように構成できる。モバイル装置１００は、ＧＰＳ対応にして、アプリケーションがモバイル装置の位置を利用できるようにすることができる。
【００１７】
[041]図１（ａ）は、第１の部分１２０を第２の部分１３０の正面又は上に配置することができる、閉じた構成又は姿勢のデュアルディスプレイモバイル装置１００を示す。閉じた構成において、モバイル装置１００は、人の手、又はシャツ、パンツもしくはコートのポケットに収納することができる。閉じた構成において、第１のディスプレイ１１０を露出することができ（つまり、ユーザーにとって視認可能）、第２のディスプレイ１６０を視界から隠すことができる。この例では、第１のディスプレイ１１０は、モバイル装置１００の前面１５０の大部分を占める。他の実施例では、第１のディスプレイ１１０は、トラックボール、物理的なキーボード又は1つ以上のボタンなどの様々な入力装置のためのスペースを確保するべく、第１の前面１５０うちの小さな部分を含んでもよい。これらのボタンは、ホーム・ページに戻ったり特定のアプリケーションを起動したりするなどの様々なタスクを実行するようにプログラムすることができる。ディスプレイ１１０及び１６０は、各々、ディスプレイと接する及び／又は近くにある様々な物体（指、スタイラスなど）からの入力を検出することが可能なタッチスクリーンであってもよい。
【００１８】
[042]図１（ｂ）は、開かれて拡張された構成のモバイル装置１００を示す。第２の部分１３０は、二次的なディスプレイ１６０を露出させるために第１の部分１２０に対して横方向に移動されている。開いた構成のモバイル装置１００は閉じた構成より広い断面を有するが、それでも人の手に保持することができる。第１及び第２の部分１２０及び１３０は、開いた構成及び閉じた構成において物理的及び電子的に接続される。第１の部分１２０及び第２の部分１３０の間の電気的接続は、フレックスケーブル又は他の周知の電気的な接続機構を介してなすことができる。
【００１９】
[043]この例では、第１の部分１２０は第２の部分１３０よりも薄いものとして示される。このような構成において、モバイル装置１００を含む電気部品のほとんどは第２の部分１３０に存在する。他の実施例では、第１の部分１２０及び第２の部分１３０は、厚さが相対的に変化してもよい。つまり、第１の部分１２０及び第２の部分１３０は、実質的に同じ厚さを有してもよいし、第１の部分１２０は第２の部分１３０よりも厚くてもよい。モバイル装置１００が開いた構成にある場合、第１の部分１２０及び第２の部分１３０は、距離１９５だけ重なったままである。したがって、第２のディスプレイ１６０の幅は、一般に、第１のディスプレイ１１０よりも狭い。モバイル装置１００は、オン／オフスイッチ、ボリュームコントロール、スピーカー、マイクロフォン及びデータを送信及び／もしくは受信し並びに／又はモバイル装置１００の電源を再充電するための出力ポートを含んでもよい。
【００２０】
[044]いくつかの実施例では、モバイル装置１００は、第２の部分１３０が除去されて異なるコンポーネントで置き換えることができるように構成することができる。たとえば、長時間の飛行機のフライトに乗り出そうとしているユーザーは、モバイル装置１００の動作時間を延長するために、第２の部分１３０を追加バッテリーで置き換えることができる。第２の部分１３０は、ゲームコントローラー、バッテリー又は物理的なキーボードなどの様々な他のコンポーネントで置き換えることができる。モバイル装置が閉じた構成にある場合、これらの追加コンポーネントは第１の部分の後ろに配置することができる。モバイル装置１００を再度閉じるために、ユーザーは、部分１３０を部分１２０の下にスライドさせるために、両方の部分１２０及び部分１３０を反対方向に互いに向かって押してもよい。
【００２１】
[045]図２（ａ）−２（ｄ）は、第１の装置２９０及び取り外し可能な第２の装置２５０を含む例示的なデュアルディスプレイモバイル装置２００を示す。第１の装置２９０は、第１のディスプレイ２１０、第１の部分２２０及び第２の部分２３０（第２の装置２５０を除く）を含む。第２の装置２５０は、第２のディスプレイ２６０を備え、第２の部分２３０に格納することができる。第１の部分２２０及び第２の部分２３０は、モバイル装置２００の開いた構成と閉じた構成との間で遷移するために、互いに対して横方向に移動することができる。図２（ａ）は、第２の装置２５０を第２の部分２３０の井戸又はポケット２４０内に格納できる、閉じられてくっつけられた構成のモバイル装置２００を示す。第１のディスプレイ２１０を露出することができ、第２のディスプレイ２６０を視界から隠すことができる。
【００２２】
[046]図２（ｂ）は、第１の部分２２０が第２の部分２３０に対して横方向に移動されて第２の装置２５０が露出される、開かれてくっつけられた構成のモバイル装置２００を示す。この例では、第２の装置２５０は、第２の部分２３０の井戸２４０内に格納することができる。第２の装置２５０は、例えば、機械的なキャッチ（図示せず）によって、井戸２４０内に解放可能なように固定することができる。第２の装置２５０は、例えば、ボタン２７０を押すこと又は他の解放機構によって、第１の装置２９０から解放することができる。第１の装置２９０に第２の装置２５０を固定するために使用される機構にかかわらず、当該機構は、第２の装置２５０が意図せずに第２の部分２３０から分離されるのを防止すべきである。他の実施例では、第２の装置２５０は、あるコンポーネントを別のコンポーネントに解放可能なように取り付けるための、磁石、ラッチ、留め金又は他の既知の技術によって、井戸２４０内に固定することができる。
【００２３】
[047]図２は、第２の装置２５０が第１の装置２９０から分離された、開かれて分離された構成のデュアルディスプレイモバイル装置２００を示す。この例では、第１の装置２９０から第２の装置２５０を分離することによって、井戸２４０の底部の電気コネクター２８０が暴露される。第１及び第２の装置２９０及び２５０の間の電子通信を可能にするために、電気コネクター２８０は第２の装置２５０における相補的な電気コネクター（図示せず）と結合する。電気コネクター２８０は、例えば、ＵＳＢコネクターや任意の他の種類の電気コネクターであってもよい。電気コネクターはまた、第１及び第２のコネクターが単一の電源を使用して充電されるのを可能にすることができる。電気コネクター２８０は井戸２４０内の任意の位置に配置することができる。第２の装置２５０以外のコンポーネントは井戸２４０に格納することができる。たとえば、井戸２４０は予備のバッテリー、物理的なキーボード又はゲームコントローラーを格納することができる。
【００２４】
[048]図２（ｄ）は、閉じられて分離された構成のモバイル装置２００を示す。第１の部分２２０は、図２（ａ）に示す閉じられてくっつけられた構成と同様に、第２の部分２３０の前に配置することができる。以下で詳細に説明するように、第１の装置２９０及び第２の装置２５０は、協調して動作するように無線で通信することができ、又は、当該２つの装置は互いに対して独立して動作することができる。
【００２５】
[049]図３（ａ）−3（ｂ）は、第１のディスプレイ３１０と第２のディスプレイ３６０を平坦にするように持ち上げることのできる第２の装置３５０を含む例示的なデュアルディスプレイモバイル装置３００を示す。モバイル装置３００は第１の部分３２０及び第２の部分３３０を備える。第１のディスプレイ３１０と同一平面に配置することができる第２のディスプレイ３６０は、２つのディスプレイが単一の統合されたディスプレイであるようにユーザーに感じさせることができる。第１の部分３２０は第１のディスプレイ３１０を含み、第２の部分３３０は第２の装置３５０を格納することができる井戸３４０を含む。第２の装置３５０は第２のディスプレイ３６０を備える。
【００２６】
[050]図３（ａ）は、第２のディスプレイ３６０の表面が第２の部分３３０の上面３７５と同一平面である、下がった位置にある第２の装置３５０を示す。図３（ｂ）は、第２の装置３５０が第２の部分３３０に対して持ち上げられ、第２のディスプレイ３６０の表面が第１のディスプレイ３１０の表面と同一平面である、上がった位置にある第２の装置３５０を示す。第２の装置３５０は、例えば、バネ３９５により第２の部分３３０に接続されたバネ付きのパネル３８５の使用によって、下がった位置と上がった位置との間で移動することができる。第２の装置３５０が下がった位置にあるとき、バネ３９５を圧縮することができ、バネ付きパネル３８５は、例えば、機械的ラッチ又は他の機構によって、所定の位置に保持することができる。ラッチは、解放されて、バネ３９５が第２の装置３５０を上がった位置へと拡張し、持ち上げることを可能にすることができる。第２の装置３５０を繰り返し圧迫することにより、解放機構を交互に係合したり解除したりして、第２の装置が下がった位置と上がった位置との間を移動できるようにすることができる。他の機構を、２つのディスプレイを同一平面にするために使用することができる。例えば、第２の部分３３０の底部は、ユーザーによってカットアウトに与えられる上向き又は下向きの圧力を介して上下に動かすことができるカットアウトを有してもよい。
【００２７】
[051]図４（ａ）−４（ｃ）は、開いた構成及び閉じた構成の両方での平坦な前面及び背面を有する例示的なデュアルディスプレイモバイル装置４００を示す。モバイル装置４００は第１の部分４２０及び第２の部分４３０を有する。第１の部分４２０は第１のディスプレイ４１０を備え、第２の部分４３０は第２のディスプレイ４６０を備える。図４（ａ）は、第１の部分の下に第２の部分が隠される閉じた構成のモバイル装置４００を示す。モバイル装置４００の前面４１５及び背面４２５は実質的に平坦、又は平面である。たとえば、第１及び第２の部分４２０及び４３０は、同様のＬ字型の断面を有し、開いた構成及び閉じた構成の両方において物理的及び電子的に接続される。
【００２８】
[052]第１及び第２の部分４２０及び４３０は、図４（ａ）及び図４（ｂ）の矢印で示されるように、少なくとも２つの次元に沿って互いに対して移動することができる。たとえば、第１及び第２の部分４２０及び４３０は、モバイル装置４００を図４（ａ）に示す閉じた構成から図４（ｂ）に示す中間位置へ変形するために、図４（ａ）の矢印で示すように、互いに対して水平にスライドすることができる。したがって、第１の部分４２０の裏から第２の部分４３０をスライドさせると、第２のディスプレイ４６０が露出される。図４（ｂ）に矢印で示すように、２つの部分はまた、モバイル装置４００を中間位置から開いた構成へ図４（ｃ）に示すように移行させるために、互いに対して垂直にスライドすることができる。したがって、閉じた構成から開いた構成にモバイル装置４００を変換することは、第１の部分４２０を第２の部分４３０に対して「越えて下がるように」スライドさせること、又は第２の部分４３０を第１の部分４２０に対して「越えて上がるように」スライドさせることを含む。
【００２９】
[053]第１及び第２の部分４２０及び４３０の補完的なＬ字型の断面は、モバイル装置４００が開いた構成にある場合に平坦又は平面の前面及び背面４４５及び４５５を可能にし、装置が閉じた構成にある場合に平面の前面及び背面４１５及び４２５を可能にする。Ｌ字型の断面は、開いた構成において第１及び第２の部分４２０及び４３０の間にいかなるギャップもない前面及び背面を提供することができる。つまり、第１の部分４２０の端４３８及び４３４は、開いた構成において、それぞれ、第２の部分４３０の端４３２及び４３６に直接隣接する。
【００３０】
[054]開いた構成及び閉じた構成の両方で平面の前面及び背面を有するデュアルディスプレイモバイル装置は、使用するのにより望ましい。たとえば、同一平面の第１及び第２のディスプレイは、互いに縦にずれている第１及び第２のディスプレイよりも容易に見ることができる。さらに、ユーザーは、同一平面のディスプレイにわたって、（「ドラッグアンドドロップ」、「つまんでズームする」などの）タッチジェスチャーをより簡単に適用できる。さらに、平面の背面を備えたモバイル装置は、ユーザーが装置に対してタッチ入力を提供したときにぶれが少ない傾向があり、より迅速かつ信頼性の高い入力を可能にする。また、平面の背面は、第１及び第２のディスプレイが、モバイル装置が載っている物体の表面に対して平行に提示されることを可能にする。つまり、装置が平面に配置される場合、装置はユーザーから又はユーザーに向かって傾かない。他の実施例では、第１及び第２の部分の断面は、図４（ａ）−４（ｃ）に示すようにＬ字以外の形状を有することができる。
【００３１】
[055]図５（ａ）−５（ｃ）は、第１の装置５９０及び第２の装置５５０を含む例示的なデュアルディスプレイモバイル装置５００を示す。第１の装置５９０は、第１のディスプレイ５１０、第１の部分５２０及び第２の部分５３０を備える。モバイル装置５００は、閉じた構成において、実質的に平面の前面及び背面５１５及び５２５をそれぞれ有し、開いた構成において、平面の前面及び背面５４５及び５５５をそれぞれ有する。第２の部分５３０は、開いた構成及び閉じた構成の間で遷移するために、少なくとも２つの次元で第１の部分５２０に対して移動することができる。第２の装置５５０は、開いた構成及び閉じた構成において第２の部分５３０に取り付けることができ、第２の部分５３０と一緒に第１の部分５２０に対して移動することができる。
【００３２】
[056]図５（ａ）は、第２の装置５５０が第１の部分５２０の少なくとも一部の後ろ又は下に配置された、閉じられてくっつけられた構成のモバイル装置５００を示す。この例では、第１のディスプレイ５１０は閉じた構成において露出される。第２のディスプレイ５６０は視界から隠される。図５（ｂ）は、第１のディスプレイ５１０及び第２のディスプレイ５６０の両方が露出され又は見えている、開かれてくっつけられた構成のモバイル装置５００を示す。図５（ｃ）は、第２の装置５５０が第１の装置５９０から分離される、分離された構成のモバイル装置５００を示す。さらに後述するように、分離された構成において、第１及び第２の装置はそれらの間で無線で通信する。
【００３３】
[057]この例では、第２の装置５５０は、コネクターによって第２の部分５３０に取り付けられる。図５（ｃ）に示すように、コネクターは、第２の部分５３０の一部であるオスコネクター部分５９５及び第２の装置５５０の一部であるメスコネクター部分５９２を含んでもよい。オスコネクター部分５９５はメスコネクター部分５９２のソケットに適合するピンを含んでもよい。また、オスコネクター部分５９５は第２の装置５５０に統合されてもよく、メスコネクター部分５９２は第１の装置５９０に統合されてもよい。物理的な接続を提供することに加えて、コネクターは、電気的に通信するために第１及び第２の装置５９０及び５５０の間に電気的接続を提供することができる。コネクターは、装置間に物理的及び電気的接続を提供するための任意の既知の機構とすることができる。いくつかの実施例では、第１及び第２の装置は、装置を引き離すことによって分離することができる。他の実施例では、これらの装置は、互いに対して装置をスライドさせ、次いで引き離すことによって、分離することができる。さらに他の実施例では、装置は、磁石又は任意の解放可能な機械的結合器を使用することによって物理的に接続することができる。
【００３４】
[058]第２の装置５５０は、追加の機能又は特徴を提供するために、他の様々なコンポーネントで置き換えることができる。たとえば、物理キーボード、ゲームコントローラー、追加バッテリー又は他のコンポーネントは、第２の装置５５０の代わりに第１の装置５９０に取り付けることができる。モバイル装置５００が閉じた構成にあるときに第１の装置５９０の後ろに収容できるように、これらのコンポーネントは第２の装置５５０と同じ断面を有してもよい。本明細書に記載される例のいずれにおいても、モバイル装置が開いた構成にあるとき、第２のディスプレイは、第１のディスプレイの左又は右のいずれかに配置することができる。
【００３５】
[059]他の実施例では、ディスプレイ５６０よりも大きいディスプレイを有するコンポーネントを第１の装置５９０に取り付けて、図５（ｂ）に示すものよりもさらに大きな組み合わされたディスプレイ（第１のディスプレイプラス第２のディスプレイ）を可能にすることができる。他の実施例では、複数のディスプレイは、大きな組み合わされたディスプレイを生成するために、例えば連結（daisy-chain）方式で、第１の装置５９０に取り付けることができる。いくつかの実施例において、本明細書に記載されるような他のモバイル装置の第１又は第２の装置は、第１の装置５９０に取り付けることができる。
【００３６】
[060]本明細書に記載の任意の例において、モバイル装置の第２のディスプレイは、露出されると、第１のディスプレイの延長として動作することができる。つまり、第１及び第２のディスプレイは、有効なより大きい、単一の統合されたディスプレイ、又は共有ディスプレイを作成するために、一緒に動作することができる。統合されることによって、第１のディスプレイからの項目は、ドラッグアンドドロップ操作によって第２のディスプレイへ移動することができる。また、アプリケーション及び画像は、単一の統一されたディスプレイについての経験を提供するべく、両方のディスプレイにまたがることができる。又は、１つのディスプレイ上のアプリケーションアイコンをクリックすると、他のディスプレイ上でアプリケーションを開くことができる。表示領域が増加すると、より豊富なユーザー経験が提供される。
【００３７】
[061]図６は、第１のディスプレイ６１０及び第２のディスプレイ６６０にわたってマップ又はナビゲーションアプリケーションの出力を表示する例示的なデュアルディスプレイモバイル装置６００を示す。本明細書中に記載の任意の例において、第１及び第２のディスプレイのいずれか又は両方は、ディスプレイのいずれか又は両方において受信した入力に応答して更新することができる。たとえば、図６を参照すると、第１のディスプレイ６１０上でのマルチタッチ「つまみ（ピンチ、pinch）」ジェスチャー（画面に触れている２本の指が互いに向かって動く）の検出に応答して、モバイル装置６００は、選択されたマップ領域からズームアウトするように第１及び第２のディスプレイ６１０及び６６０の両方を更新することができる。モバイル装置６００は、第１のディスプレイ６１０、第２のディスプレイ６６０又は両方のディスプレイ上で検出された多指ジェスチャー（例えば、第１の指が第１のディスプレイに触れ、第２の指が第２のディスプレイに触れる）に応答して、マップをズームインしたり、ズームアウトしたり、回転させたりすることができ、また、他の操作を実行することができる。モバイル装置６００は、そのようなジェスチャーに応答するようにプログラムされたアプリケーションにおける多指ジェスチャーに応答して動作を行うことができる。さらに、モバイル装置６００は、１つのディスプレイ上で開始し他のディスプレイ上で終了する単一の指のジェスチャーに応答して動作を実行するように構成することができる。さらに、モバイル装置６００は、ディスプレイのいずれか又は両方において受信される、指、スタイラスなどによる、「軽くたたく（flick）」ジェスチャー、すばやい運動、直線運動に関連付けられた動作を行うことができる。
【００３８】
[062]第１及び第２のディスプレイは、他の方法で関連する又は関連付けられる情報を表示することができる。図７は、第１のディスプレイ７１０及び第２のディスプレイ７６０を備えた開いた構成の例示的なデュアルディスプレイモバイル装置７００を示す。この例では、モバイル装置７００上で実行されるアプリケーション（この場合は、マップ又はナビゲーションアプリケーション）の出力は第１のディスプレイ７１０上に表示され、様々なアプリケーション（電子メール、カレンダー、ウェブブラウザー、テキストメッセンジャー、メディアプレイヤーなど）に関連付けられるアイコン７５０、７５２、７５４、７５６及び７５８のリストが第２のディスプレイ７６０に表示される。モバイル装置７００は、他方又は両方のディスプレイから受信した入力に基づいて、ディスプレイのいずれか又は両方を更新することができる。たとえば、電子メールアイコン７５０に関連付けられている第２のディスプレイ７６０の一部にユーザーが触れることに応答して、モバイル装置７００は、電子メールアプリケーションを起動して、第１のディスプレイ７１０にその出力を向けることができる。これにより、アプリケーションが開いているにもかかわらず、アイコンが可視のままとなるようにすることができる。別の例では、第１のディスプレイ７１０は、テキスト入力を必要とする電子メールプログラム又は他のアプリケーションの出力を表示することができ、第２のディスプレイ７６０は仮想キーボードとして動作することができる。そのような構成において、ユーザーがメッセージを構成するために第２のディスプレイ７６０を軽くたたくと、関連付けられるテキストが第１のディスプレイ７１０に現れる。
【００３９】
[063]第１及び第２のディスプレイ７１０及び７６０は、さらなる方法で関連する情報を表示することができる。たとえば、第２のディスプレイ７６０は、第１のディスプレイ７１０上に表示されるものに対して補足的な又は相補的な情報を表示することができる。例えば、第２のディスプレイ７６０は、第１のディスプレイ７１０上に示される地図のルートの方向を表示してもよく、また、第１のディスプレイ７１０上に表示された電子メールアプリケーションの閲覧ウィンドウ（reading pane）を表示してもよい。別の例では、装置７００は、メディアギャラリー（写真、オーディオ、ビデオなど）を閲覧して、第１のディスプレイ７１０において構成される電子メールメッセージ、テキストメディア又は他の通信へ含めるためのメディアファイルを選択するために、ユーザーが第２の装置７６０とインタラクトすることを可能にするように構成することができる。ユーザーは、例えば、第２のディスプレイ７６０に表示されるアイコンを軽くたたいたり、第２のディスプレイ７６０から第１のディスプレイ７１０へとアイコンをドラッグしたりすることにより、通信のなかに含めるメディアファイルを選択することができる。第２のディスプレイ７６０はまた、電話の着信、テキスト又はカレンダーの予定についてユーザーに通知することができる。いずれにせよ、第１及び第２のディスプレイは、関連するコンテンツ（例えば、テキスト、画像等）を表示することができる。
【００４０】
[064]別の例においては、図５（ｂ）に関連して、第１のディスプレイ５１０は、例えば、ユーザーの現在位置、現地時間、来たるカレンダーの予定、未読の電子メール及びＭＭＳメッセージの数、並びに音声メッセージの数を示す、ホームページ又はメインページを表示することができる。第２のディスプレイ５６０は、様々なアプリケーションに関連付けられたアイコン５５５のリストを表示することができる。本明細書に記載の任意の例において、第１及び第２のディスプレイはくっつけられるときに独立して動作することができる。たとえば、任意の開かれてくっつけられた構成において、第１のディスプレイ及び第２のディスプレイは、各々、別個のアプリケーションの出力を表示することができる。
【００４１】
[065]本明細書に記載される任意の例において、第１及び第２の装置は、それらが互いの無線通信範囲内にある限り、インタラクトすることができる。たとえば、分離された第２の装置のディスプレイは、第１のディスプレイに示される情報に対して補足的又は相補的である情報、又はそうでなければ、第１のディスプレイに示される情報に関連付けられるか又は対応する情報を表示することができる。例えば、第１及び第２のディスプレイは単一のアプリケーションの出力を表示することができ、第２のディスプレイは、第１のディスプレイに表示されるアプリケーションに関連する又はアプリケーションに対して補足的な情報を提示することができ、第１のディスプレイは第２の装置上で実行されるアプリケーションに関連する情報を表示することができ、又は第２のディスプレイはアプリケーションのアイコンのリストを表示することができる。また、第１及び第２のディスプレイは、他のディスプレイを有する人にコンテンツを提示するために同一の情報を表示することができる。例えば、同一の一連の写真画像は両方のディスプレイ上に表示することができ、ユーザー入力による第１のディスプレイ上の向上（advancement）は第２のディプレイの自動的な更新に帰着してもよい。
【００４２】
[066]図８は、第１の装置８９０及び着脱可能な第２の装置８５０を備えたデュアルディスプレイモバイル装置８００のフローチャートである。第１の装置８９０は、コントローラー又は処理ユニット８１０、メモリー８２０、1つ又は複数の入力装置８２５、1つ又は複数の出力装置８３０、少なくとも1つの入出力ポート８３３、電源８４０、及び物理コネクター８３６を備える。第１の装置８９０はまた、1つ又は複数の移動体通信ネットワーク８０９と通信するための無線モデム８０７（例えば、セルラーモデム）及び第２の装置８５０と通信するための無線モデム８３５を含む。移動通信ネットワーク８０９は、セルラー、衛星又は他の種類の移動通信ネットワークであってもよい。第１の装置８９０は、さらに、全地球測位システム（ＧＰＳ）受信機８１５及び／又は加速度計８４５を含んでもよい。コントローラー８１０と他のコンポーネントとの間の接続のみが示されるが、第１の装置８９０内の各コンポーネントは任意の他のコンポーネントと通信することができる。電源８４０は、通常、充電式バッテリーを備える。１つ又は複数の入力装置８２５は、例えば、タッチパネル８２６、マイクロフォン８２７、カメラ８２８、物理キーボード８２９、及び／又はトラックボール８２４を含んでもよい。１つ又は複数の出力装置８３０は、例えば、スピーカー８３１及び第１のディスプレイ８３２を含んでもよい。マイクロフォン８２７及びスピーカー８３１を備えた第１の装置８００は、第１の装置８００が携帯電話のヘッドセットとして使用することができるように構成されたマイクロフォン８２７及びスピーカー８３１を有してもよい。つまり、そのような第１の装置８００がユーザーの頭の近くに配置される場合、マイクロフォン８２７はユーザーの口の近くにあり、スピーカー８３１はユーザーの耳の近くにある。第１の装置８９０は、追加の入力及び／又は出力装置を含んでもよい。物理コネクター８３６は、第２の装置８５０に第１の装置８９０を物理的に接続する。
【００４３】
[067]第２の装置８５０は、コントローラー又は処理ユニット８６０、メモリー８７０、1つ又は複数の入力装置８７５は、1つ又は複数の出力装置８８０、少なくとも1つの入力／出力ポート８８３、電源８９２、物理的なコネクター８８６、及び第１の装置８９０と通信するための無線モデム８８５を含む。第２の装置８５０は、さらに加速度計８６５を含んでもよい。コントローラー８６０と他のコンポーネントとの間の接続のみが図８に示されるが、第２の装置における各コンポーネントは、第２の装置内の任意の他のコンポーネントと通信することができる。１つ又は複数の入力装置８７５は、例えば、タッチパネル８７６、マイク８７７及びカメラ８７８を含んでもよい。第２の装置８５０は、物理キーボードやトラックボールなどの追加の入力装置を含んでもよい。１つ又は複数の出力装置８８０は、例えば、スピーカー８８１及び第２のディスプレイ８８２を含んでもよい。マイク８７７及びスピーカー８８１を備える第２の装置８５０は、第２の装置８５０が携帯電話のヘッドセットとして使用することができるように構成されてもよい。つまり、このような第２の装置８５０がユーザーの頭の近くに配置される場合、マイク８７７はユーザーの口の近くにあり、スピーカー８８１はユーザーの耳の近くにある。物理的なコネクター８８６は、２つの装置を物理的及び電子的に接続するために、第１の装置の物理的なコネクター８３６と結合するように構成することができる。
【００４４】
[068]電源８９２は、通常、充電式電池を備える。単一の電源によって両方のバッテリーが充電されるように、第２の装置８５０が第１の装置８９０にくっついているとき、充電式バッテリーは充電することができる。いくつかの実施例では、第１の装置８９０は、電源８４０が充電されているとき（例えば、第１の装置８９０が充電ステーションにドッキングされているとき）電源８９２を充電することができる。他の実施例では、いずれの装置も、自身の電源によって、他の装置の電源によって、又はその両方の組み合わせによって給電することができる。さらに他の実施例では、いずれの装置の電源も、他の装置の電源によって充電することができる。１つの装置が他の装置によって給電され又は再充電される条件は、例えば、製造時に設定されたデフォルト設定によって、又はユーザーが設定できる設定によって、決定することができる。第１及び第２の装置は、各々、外部電源によって給電することができる。
【００４５】
[069]第１及び第２の装置８９０及び８５０の無線モデム８３５及び８８５は、装置間の無線通信を可能にする。無線モデム８３５及び８８５は、各々、無線通信リンクを提供することができる、ブルートゥース（登録商標）モデム８３８、Ｗｉ−Ｆｉモデム８３７及び／又は任意の他のハードウェアを含んでもよい。無線モデム８３５及び８８５は、各々、第１及び第２の装置８９０及び８５０の通信範囲内で他の無線対応の装置と通信することができる。たとえば、無線モデム８３５及び８８５は、第１又は第２の装置８９０又は８５０から、無線通信が可能な、近くのパーソナルコンピューター、プリンター、メディアプレーヤー、携帯電話又は他の装置への通信リンクを提供することができる。いくつかの実施例では、第１の装置８９０は、第２の装置と別の無線装置との間の通信を可能にするために、中継局又は基地局として動作することができる。無線モデム８３５及び８８５は、Ｗｉ−Ｆｉモデム８３７及びブルートゥースモデム８３８の両方を含んでもよい。この場合、第１又は第２の装置は、通常はＷｉ−Ｆｉモデムによって提供されるより大きな通信範囲と、通常はブルートゥースモデムによって提供される低消費電力とを利用するために、２つのモデム間で切り替えるように構成することができる。
【００４６】
[070]第１及び第２の装置８９０及び８５０はまた、それぞれ、加速度計８４５及び８６５を含んでもよい。第１及び第２の装置８９０及び８５０は、例えば、装置の向きを検出してそれに応じて第１及び第２のディスプレイに送られる出力を調整するために、加速度計を使用するように構成することができる。加速度計８４５及び８６５は追加の機能を可能にする。たとえば、第１及び第２の装置は、各々、いずれかの装置とともにジェスチャーをするユーザーに応答して動作を実行するように構成することができる。たとえば、ユーザーが装置を振ったり振動させたりすることに応答して、装置は様々な動作を行うことができる。さらに後述するように、動きに応答する装置を使用する１つの例はゲームアプリケーションである。
【００４７】
[071]第１及び第２の装置の少なくとも１つの入力／出力ポート８３３及び８８３は、それぞれ、少なくとも１つの出力ポートを含んでもよい。出力ポートは、たとえば、スピーカーのセット（ヘッドフォン）、ステレオ受信機、テレビ又は他のメディアプレーヤーに音声及び／又は動画データを出力することができる。音声又は動画データは、アナログ及び／又はデジタル形式で出力することができる。入力／出力ポート８３３及び８８３は、それぞれ、パーソナルコンピューター、プリンターなどの任意の外部装置とデータを通信するためのポートを含んでもよい。
【００４８】
[072]第１及び第２の装置のメモリー８２０及び８７０は、揮発性メモリー（例えば、レジスター、キャッシュ、ＲＡＭ）、不揮発性メモリー（例えば、ＲＯＭ、ＦＰＧＡ、ＰＡＬ、ＣＰＬＤ、ＥＥＰＲＡＭ、フラッシュメモリー）、又は両方の組み合わせであってもよい。メモリー８２０及び８７０は、本明細書に記載の機能のいずれかを実施するソフトウェアを格納することができる。通常、オペレーティングシステムソフトウェア（図示せず）は、第１又は第２の装置８９０及び８５０のいずれかで実行される他のソフトウェアの動作環境を提供し、装置のコンポーネントの活動を調整する。
【００４９】
[073]他の実施例では、第１及び第２の装置８９０及び８５０は、図８に示したものより多くの又は少ないコンポーネントを有してもよい。例えば、1つ又は複数の移動体通信ネットワーク８０９と通信する無線モデム８０７は第２の装置８５０に配置することができる。代替的に、第１及び第２の装置の両方が、1つ又は複数の移動通信ネットワーク８０９と通信可能な無線モデムを有してもよい。第１及び第２の装置はまた、それぞれが、より多くの又はより少ない入力装置又は出力装置を有してもよい。たとえば、第２の装置８５０はカメラを有してもよい。さらに、第２の装置８５０はＧＰＳ受信機を含んでもよい。
【００５０】
[074]図９は、携帯電話として使用される第１の装置９９０及び第２の装置９５０を備えたデュアルディスプレイモバイル装置９００を示す。本明細書に記載されるような着脱可能な第２の装置を有する任意のデュアルディスプレイモバイル装置は、同時に携帯電話の呼を行うこととは無関係のモバイル装置の機能（「非呼機能（non-call capabilities）」）を利用しつつ、プライベートな電話での会話を行う能力をユーザーに提供する。図９において、ユーザーは、第１の装置９９０から第２の装置９５０を分離して、私用の電話をかけるために携帯電話端末として第２の装置９５０を使用するために、片手で自分の耳まで第２の装置９５０を保持している。第１の装置９９０は、無線通信ネットワーク（例えば、セルラー又は衛星ネットワーク）と第２の装置９５０の両方への電話呼に関連付けられる信号を通信する。第２の装置９５０は、ユーザーへの又はユーザーからの電話呼に関連付けられる音声信号を配信し、受信する。
【００５１】
[075]携帯電話端末として第２の装置９５０を使用するのと同時に、ユーザーは、自分の他方の手に第１の装置９９０を保持しており、第１の装置９９０の第１のディスプレイ９１０を容易に見ることができる。したがって、ユーザーは自分の耳から第２の装置９５０を離すことなく、モバイル装置の全能力を利用することができる。たとえば、ユーザーは、プライベートな電話での会話を行うことを続けながら、別の人物の電話番号を探し、カレンダーをチェックして更新し、又はインターネットにアクセスしてレストランのクチコミを読んだり、方向を探したりすることなどをすべてするために、第１の装置９９０を使用することができる。モバイル装置は、発呼者又は呼に対する他の当事者の物理的な位置を受信することができる。モバイル装置がＧＰＳ対応である場合、それはまた、自身の位置を決定して、ユーザーが、呼に対するユーザーと他の当事者の両方の位置を示す地図を持ち出して、地図上の位置の間の経路をプロットすることを可能にすることができる。モバイル装置９００は、電話中及び電話後の両方においてリアルタイムでユーザー及び他の当事者の位置を更新し、経路に沿って興味のある場所を示すように構成することができる。これらの非電話機能は、（第２の装置のハンドセット９５０を使用してこれらのタスクを実行するために）ユーザーが会話を中止する必要なく、また電話機のスピーカーフォンモードを使用することによって電話のプライバシーを邪魔する必要なく、利用することができる。
【００５２】
[076]図１０は、電話としてデュアルディスプレイモバイル装置を動作させる方法の第１の実施例１０００のフローチャートである。方法１０００は、例えば、モバイル装置がに携帯電話呼をナビゲーションソフトウェアを実行するものなどのアプリケーションと同時にホストすることによって、実行することができる。１０１０において、第１及び第２の装置は携帯電話の一部として提供される。各装置はディスプレイを有し、当該２つの装置は互いに分離することができる。１０２０において、ナビゲーション経路などのコンテンツが、第１の装置のディスプレイ上に表示される。１０３０において、ナビゲーション経路の方向などの関連するコンテンツが、第２の装置のディスプレイ上に表示される。１０４０において、携帯電話呼が無線通信ネットワークから受信される。１０５０において、通話中に、第１及び第２の装置は、無線移動通信ネットワークと通信するモバイル装置と同時に、互いに無線で通信する。たとえば、第１の装置は、セルラーモデムを介して無線通信ネットワークと通信することができ、第２の装置に無線で音声データを送信する基地局として機能することができる。
【００５３】
[077]図１１は、図１０に示すフローチャートの一部として実行することができる追加の動作のフローチャートである。追加の動作は、移動通信ネットワークと無線で通信して、携帯電話通話中に受信したユーザー入力に応答して情報を取得するためのものである。例えば、上記の例において、同時に通話をホストし且つナビゲーションソフトウェアを実行するモバイル装置は、ユーザーの要求に応じて、映画館の位置を見つけるために通話中にインターネットにアクセスすることができる。１１６０において、近くの映画館についての探索要求などの追加のユーザー入力が、第１の装置のディスプレイにおいて受信される。 １１７０において、携帯電話は、移動通信ネットワークと無線で通信して、追加の入力に応答して情報にアクセスする。たとえば、携帯電話は近くの劇場のリストを取得するためにインターネットにアクセスできる。１１８０において、劇場のリスト又は特定の劇場への方向などのアクセスされた情報が、第１の装置のディスプレイに表示される。
【００５４】
[078]図１２は、図１０に示す方法の一部として実行することができる他の追加の動作のフローチャートである。別の動作は、装置に表示された地図上に、携帯電話の位置及び呼に対する他の当事者の位置を表示するためのものである。例えば、上記の例では、同時に通話をホストし且つナビゲーションソフトウェアを実行するモバイル装置は、自身の位置当該呼に対する他の当事者の位置の両方を地図上に表示することができる。１２１０において、携帯電話の現在位置が決定される。１２２０において、携帯電話の現在位置は、第１の装置のディスプレイに示された地図上に表示される。１２３０において、電話呼に対する他方の当事者に関連付けられた位置情報が受信される。１２４０において、他方の当事者（相手）の位置が地図上に表示される。方法１２００はさらに、当事者間の経路を表示することを含む。当該経路に沿った関心のある点（レストラン、映画館、美術館、店など）もまた同様に示すことができる。
【００５５】
[079]本明細書に開示される任意の例において、モバイル装置は、任意のモバイル装置構成（開いた又は閉じた、くっついた又は分離した）の携帯電話として動作することができる。たとえば、モバイル装置が閉じた構成である場合、電話着信の通知は、第１のディスプレイにおいて提供することができ、第１の装置が電話の送受話器として動作することができる。通話中、ユーザーは閉じた構成から開いた構成へとモバイル装置を変形し、第１の装置から第２の装置を分離し、電話の送受話器として第２の装置を使用して通話を続けることができる。このような場合には、モバイル装置は、第２の装置が第１の装置から分離され、電話の送受話器として第２の装置を使用するように自動的に切り替えられるときを検出するように構成することができる。モバイル装置はまた、第２の装置が第１の装置に再び取り付けられたことをモバイル装置が検出したときに電話の送受話器として第１の装置を使用するように自動的に切り替わるように構成することができる。第１の装置のコントローラー（例えば、コントローラー８１０）は、第２の装置が第１の装置と接続しているか又は第１の装置から分離されているかを監視し、第２の装置と通信するために無線通信モードと物理的な通信モードとの間で自動的に切り替わるように構成することができる。また、ユーザーは、第１の装置又は第２の装置のいずれが電話の送受話器として使用されるべきかを選択できる。たとえば、第２の装置が第１の装置から分離される場合、第１の装置が電話の送受話器として動作し続けてもよい。
【００５６】
[080]電話の着信、テキストメッセージ、電子メール又は任意の他の種類の通信の通知は、第１のディスプレイ、第２のディスプレイ、又はその両方に表示されてもよい。たとえば、電話の着信の通知は第２のディスプレイに表示されてもよく、発信側の名前、電話番号及び関連付けられる画像を含んでもよい。第１又は第２の装置のいずれかが、テレビ、パーソナルコンピューター又は他のメディアプレーヤーなどの外部装置と通信している場合、通知は同様に外部装置に提供されてもよい。通知は音声及び／又は動画信号によってなされてもよい。
【００５７】
[081]本明細書に記載されるような任意のモバイル装置において、第１及び第２の装置は、通話中に送受話器として同時に動作することができ、したがって通話の一方の端における２人のユーザーが通話に参加することを可能にする。第１の装置が通信位置、充電ステーションなどにおいてドッキングされ、ケーブルによって外部の装置に取り付けられ、又はそうでなければ移動することを防げられている場合、第２の装置は電話の送受話器として動作することができる。たとえば、第１の装置が無線接続を介して外部のメディアプレーヤーにメディアを出力しているとき、第１の装置はメディアプレーヤーに対して物理的に近接した位置内にとどまる必要がある。
【００５８】
[082]分離された第２の装置は、追加の構成において第１の装置と協力してもよい。たとえば、モバイル装置はカーナビゲーションシステムとして使用することができる。第１の装置は地図又はナビゲーションアプリケーションを実行してもよく、第２の装置は第１のディスプレイに表示されるルートについて段階的に方向を表示してもよい。代替的に、第２の装置は第１の装置から独立して動作する。たとえば、第２の装置は、メディアプレーヤーとして動作して、有線又は無線接続を介して車のサウンドシステムに音声データを出力してもよい。第１の装置はダッシュボードマウントに配置してもよく、第２の装置は、第１の装置と同じマウント、別個のマウント、又はドライバーの視界内の他の場所に配置してもよい。電話の着信の通知は、第１のディスプレイ、第２のディスプレイ又は両方のディスプレイに表示することができる。いずれの装置も音声コマンドに応答して動作を実行するように構成することができ、ユーザーが運転をしたり他のタスクを実行したりしながらハンズフリー操作をすることを可能にする。たとえば、モバイル装置は、音声コマンドに応答して電話に応答したり電話をかけたり、曲を再生したり、アプリケーションを起動したりするように構成することができる。
【００５９】
[083]本明細書に記載される任意の例において、モバイル装置は、モバイル装置がテレビ、モニター又は可視のディスプレイを備えた他の外部装置へメディア又はコンテンツを出力することができる「３スクリーン」モードで動作するように構成することができる。メディアは、無線で又は物理的な接続を介して、第１の装置によって外部装置に出力することができる。たとえば、第１の装置がドッキングされ、メディアが外部装置にドッキングステーションを接続するケーブルを介して出力されてもよい。いくつかの実施例では、第２の装置は外部装置にメディアを出力することができる。他の実施例では、第１及び第２の装置の両方が外部装置にメディアを出力することができる。どちらの装置がコンテンツを出力するかにかかわらず、第１及び／又は第２の装置は、外部のメディアプレーヤーへのメディアの出力を制御することができる。
【００６０】
[084]「３スクリーン」モードで動作するモバイル装置の１つの例において、分離された第２の装置は、外部のメディアプレーヤーへ第１の装置によって送信される信号の出力を遠隔制御することができる。例えば、第２の装置は、外部のメディア装置上に表示されるメディアギャラリー（写真、動画、音声など）の閲覧を制御することができる。ユーザーは、タッチ入力（タップ入力、フリック又はマルチタッチジェスチャーなど）を提供することにより、又は第２の装置を用いてジェスチャーすることにより、ギャラリーの閲覧を制御することができる。たとえば、左から右又は右から左へのジェスチャーによって前の又は次のメディアファイルを表示させることができ、下から上へのジェスチャーによってメディアファイルを再生させることができる。第２の装置はまた、第１の装置によって外部のディスプレイに表示されるものに対して相補的な情報を表示するように構成することができる。たとえば、第２の装置は外部のメディア装置に表示される写真のサムネイルを示すことができる。
【００６１】
[085]別の例において、分離された第２の装置は、リモートゲームコントローラーとして動作することができる。図１３は、ドッキングステーション１３２０とドッキングされてテレビ１３３５への出力を配信する第１の装置１３９０を示す。有線接続が示されているが、ドック１３２０とテレビ１３３５との間の通信は無線であってもよい。対応する第２の装置１３５０は、第２のディスプレイ１３６０上にゲームコントロール１３０２、１３０４、１３０６、１３０８、及び１３０９を表示し、無線通信を介して、第１の装置１３９０上で実行されるゲームへの入力を提供することができる。さらに別の例では、第１の装置と無線で通信する分離された第２の装置は、第１の装置上で実行され且つその出力がコンピューター、テレビ又は他の装置に表示されるアプリケーションへのテキスト入力を提供するために、仮想キーボードとして動作することができる。
【００６２】
[086]第２の装置は、その出力が第１のディスプレイに表示される、第１の装置上で実行されるアプリケーションに対してリモート入力を提供することができる。たとえば、テレビ１３３５に表示されるゴルフアプリケーションは、第１の装置１３９０の第１のディスプレイ１３１０に表示することができる。ユーザーはゴルフのスイングをシミュレートするために第２の装置１３５０を用いてモーションやジェスチャーをすることができ、第２の装置内の加速度センサーはその動きを検出することができる。第２の装置は検出された動きを示すデータを第１の装置に無線で通信することができ、対応するゴルフの動作を第１のディスプレイ１３１０に表示することができる。
【００６３】
[087]図１４は、携帯電話としてデュアルディスプレイモバイル装置を動作させる方法の第２の実施例１４００のフローチャートである。方法１４００は、例えば、両方のディスプレイを露出させるために開かれ、第２の装置が分離され、携帯電話呼をホストする、モバイル装置によって実行することができる。１４１０において、コンテンツは第１の装置のディスプレイに表示される。当該コンテンツは電子メールプログラムなどの携帯電話上で実行されるアプリケーションの出力であってもよい。１４２０において、閉じた構成から開いた構成への電話の移行が検出される。この例では、携帯電話は、第２のディスプレイを示すためにユーザーが携帯電話を拡張することを検出することができる。１４３０において、電子メールメッセージのプレビューウィンドウや仮想キーボードなどの補足的な又は相補的なコンテンツが、第２の装置のディスプレイに表示される。１４４０において、第１の装置からの第２の装置の分離が検出される。この例では、モバイル装置は、電話をかけたり電話の着信を受けたりするためにユーザーが第２の装置を分離することを検出することができる。１４５０において、携帯電話は通話をホストすることができる。通話をホストすることの一部として、携帯電話が同時に無線で移動通信ネットワークと通信しながら、第１及び第２の装置は無線で互いに通信することができる。
【００６４】
[088]本明細書に記載される任意の例において、第１及び第２の装置は、それらが互いに通信範囲外にあるときに独立して動作するように構成することができる。このような構成において、モバイル通信ネットワークと通信可能な無線モデムを含む第１又は第２の装置は、携帯電話として動作することができる。通常、これは第１の装置である。セルラー又は衛星移動通信ネットワークと通信することができない第１又は第２の装置はいずれも、それでもなお、広範囲の機能を実行することができる。たとえば、第２の装置はスタンドアロンのメディアプレーヤーとして動作することができる。ユーザーは、ジムや散歩などにそのような第２の装置を一緒に持っていき、第２の装置に格納されている曲を聞くことができる。着脱可能な第２の装置を含む本明細書に記載されるようなモバイル装置はいずれも、したがって、第１の装置のすべての能力が必要とされてはいない場合又はよりコンパクトなモバイル装置が望まれる場合に、より小さいモバイル装置を持ち運ぶという選択肢をユーザーに提供することができる。上述のように、第２の装置は、無線通信用に構成された他の近くの装置と通信することができる。たとえば、ジムにおける機器（ルームランナー、エアロバイクなど）は無線通信に対応させることができ、第２の装置はジムの機器による出力のために音声及び／又は動画メディアを送信することができる。
【００６５】
[089]本明細書に記載される任意の例示的なモバイル装置において、着脱可能な第２の装置は、図１乃至５に示されるもの以外の方法で収納したり、第１の装置に取り付けたりすることができる。たとえば、図１５は第１の装置１５９０及び第２の装置１５５０を備えたモバイル装置１５００を示す。第１の装置は第１のディスプレイ１５１０及びヒンジエッジ１５９２を備える。第２の装置１５５０は第２のディスプレイ１５６０を備える。第１の装置１５９０は、第２の装置１５５０を格納することができるキャビティ１５９４を露出させるために、背面１５９６を前面１５９８から離すように旋回させることによって開くことができる。ヒンジエッジ１５９２はまた、キャビティ１５９４を露出させるために第１の装置が開かれたときに第１の装置１５９０が直立できるようにする。
【００６６】
[090]本明細書に記載される技術の追加の実施例及び態様は以下の番号を振られた実施例において記載される。
[091]実施例１．第１のディスプレイ（２１０、５１０）及び第１の無線モデム（８３５）を有する第１の装置（２９０、５９０）と、第２のディスプレイ（２６０、５６０）及び第２の無線モデム（８８５）を有する第２の装置（２５０、５５０）であって、携帯電話のハンドセット（２００、５００）として動作可能な第２の装置（２５０、５５０）とを備え、第１及び第２の装置（２９０、５９０、２５０、５５０）は、閉じた構成において第１及び第２の装置（２９０、５９０、２５０、５５０）が取り付けられて第２のディスプレイ（２６０、５６０）が第１の装置（２９０、５９０）の下に隠れ、開いた構成において第１及び第２の装置（２９０、５９０、２５０、５５０）が取り付けられて第１及び第２のディスプレイ（２１０、５１０、２６０、５６０）が両方とも可視であって単一の統合されたディスプレイとして機能し、分離した構成において第１及び第２の装置（２９０、５９０、２５０、５５０）がそれらの間での無線通信のために互いから分離されるように、スライド可能に、互いに対して取り付け可能であり互いから解放可能である、携帯電話（２００、５００）。
【００６７】
[092]実施例２．これより前の番号が付けられた実施例のうちのいずれかの携帯電話（２００、５００）であって、第１及び第２のディスプレイ（２１０、５１０、２６０、５６０）が開いた構成において互いに実質的に平坦になることを可能にするように、第２の装置（２５０、５５０）が第１の装置（２９０、５９０）に対して水平方向及び垂直方向の両方にスライドすることができる、携帯電話。
【００６８】
[093]実施例３．これより前の番号が付けられた実施例のうちのいずれかの携帯電話（２００、５００）であって、第１の装置（２９０、５９０）が第１の無線モデム（８３５）から分離されたセルラーモデム（８０７）をさらに備える、携帯電話。
【００６９】
[094]実施例４．これより前の番号が付けられた実施例のうちのいずれかの携帯電話（２００、５００）であって、第１及び第２の装置（２９０、５９０、２５０、５５０）を電気的に接続するためのコネクター（８３６）をさらに備え、第１及び第２の装置（２９０、５９０、２５０、５５０）はコネクター（８３６）を使用して物理的に接続される場合に電気的に通信し、分離された場合に無線で通信するように動作可能である、携帯電話。
【００７０】
[095]実施例５．これより前の番号が付けられた実施例のうちのいずれかの携帯電話（２００、５００）であって、第１の装置（２９０、５９０）が、第２の装置（２５０、５５０）が第１の装置（２９０、５９０）に接続するか第１の装置（２９０、５９０）から分離されるかを監視するように構成され、且つ、当該監視に基づいて第２の装置（２５０、５５０）との通信のモードを自動的に切り替える、コントローラー（８１０）を含む、携帯電話。
【００７１】
[096]実施例６．これより前の番号が付けられた実施例のうちのいずれかの携帯電話（２００、５００）であって、第２の装置（２５０、５５０）が第２の無線モデム（８８５）から分離されたセルラーモデムをさらに含む、携帯電話。
【００７２】
[097]実施例７．携帯電話の使用方法（２００、５００）であって、第１及び第２の装置（２９０、５９０、２５０、５５０）を互いに解放可能に取り付けられる携帯電話（２００、５００）の一部として提供するステップと、第１の装置（２９０、５９０）の第１のディスプレイ（２１０、５１０）上に第１のコンテンツを表示するステップと、第２の装置（２５０、５５０）の第２のディスプレイ（２６０、５６０）上に第１のコンテンツに関連付けられる第２のコンテンツを表示するステップと、無線通信ネットワーク（８０９）からの携帯電話呼を受信するステップと、携帯電話の通話中に、第１及び第２の装置（２９０、５９０、２５０、５５０）の間で無線で通信する一方、同時に無線通信ネットワーク（８０９）と通信するステップとを含む方法。
【００７３】
[098]実施例８．これより前の番号が付けられた実施例のうちのいずれかの方法であって、第１の装置（２９０、５９０）からの第２の装置（２５０、５５０）の分離を検出するステップと、第１及び第２の装置（２９０、５９０、２５０、５５０）の間の通信のモードを無線に切り替えるステップとをさらに含む方法。
【００７４】
[099]実施例９．これより前の番号が付けられた実施例のうちのいずれかの方法であって、携帯電話の通話中に別個のハンドセットとして機能するように第１及び第２の装置（２９０、５９０、２５０、５５０）を動作させるステップをさらに含む方法。
【００７５】
[0100]実施例１０．これより前の番号が付けられた実施例のうちのいずれかの方法であって、第１及び第２のコンテンツを表示するステップは、第１及び第２のディスプレイ（２１０、５１０、２６０、５６０）を統合されたディスプレイとして動作させるステップを含む方法。
【００７６】
[0101]実施例１１．これより前の番号が付けられた実施例のうちのいずれかの方法であって、携帯電話の通話中に、第１のディスプレイ（２１０、５１０）において追加のユーザー入力を受信するステップ、追加のユーザー入力に応答して情報にアクセスするために移動体通信ネットワーク（８０９）と無線で通信するステップ、及び第１のディスプレイ（２１０、５１０）上にアクセスされた情報を表示するステップとをさらに含む方法。
【００７７】
[0102]実施例１２．これより前の番号が付けられた実施例のうちのいずれかの方法であって、携帯電話（２００、５００）の現在位置を決定するステップと、携帯電話の通話中に、第１のディスプレイ（２１０、５１０）に表示される地図上に携帯電話（２００、５００）の現在位置を表示するステップと、携帯電話の通話の相手に関連付けられる位置情報を受信するステップと、地図上に相手の位置を表示するステップとをさらに含む方法。
【００７８】
[0103]実施例１３．これより前の番号が付けられた実施例のうちのいずれかの方法であって、第１のディスプレイ（２１０、５１０）において受信されるユーザー入力に応答して第２のディスプレイ（２６０、５６０）を更新するステップをさらに含む方法。
【００７９】
[0104]実施例１４．携帯電話（２００、５００）の使用方法であって、携帯電話（２００、５００）が閉じた状態にある場合に携帯電話（２００、５００）の第１の装置（２９０、５９０）の第１のディスプレイ（２１０、５１０）上に第１のコンテンツを表示するステップと、閉じた状態から開いた状態への携帯電話（２００、５００）の移行を検出するステップであって、携帯電話（２００、５００）の第２の装置（２５０、５５０）の第２のディスプレイ（２６０、５６０）は開いた状態において露出される、ステップと、当該検出に応答して、第１のコンテンツに対して補足的又は相補的である第２のコンテンツを第２のディスプレイ（２６０、５６０）上に表示するステップと、第１の装置（２９０、５９０）からの第２の装置（２５０、５５０）の分離を検出するステップと、通話をホスティングするステップであって、第２の装置（２５０、５５０）が携帯電話（２００、５００）のハンドセットとして動作するように、第１の装置（２９０、５９０）が、移動通信ネットワーク（８０９）と無線で通信し、同時に第２の装置（２５０、５５０）と無線で通信する、ステップとを含む方法。
【００８０】
[0105]実施例１５．モバイル装置（２００、５００）を使用する方法であって、モバイル・装置（２００、５００）の第１の装置（２９０、５９０、１３９０）から外部の装置（１３３５）へコンテンツを出力するステップであって、当該コンテンツは外部の装置（１３３５）上での表示のために第１の装置（２９０、５９０、１３９０）から出力される、ステップと、コンテンツの出力を制御するためにモバイル装置（２００、５００）の第２の装置（２５０、５５０、1３５０）においてユーザー入力を検出するステップと、第２の装置（２５０、５５０、1３５０）からのユーザー入力に関連付けられる信号を第１の装置（２９０、５９０、１３９０）へ無線で通信するステップと、当該信号に基づいて第１の装置（２９０、５９０、１３９０）からのコンテンツの出力を制御するステップとを含む方法。
【００８１】
[0106]開示される発明の原理を適用することができる多くの可能な実施例を考慮すると、示された実施例が好ましい例にすぎず、本発明の範囲を限定するものとして解釈されるべきではないことを認識すべきである。むしろ、本発明の範囲は特許請求の範囲によって規定される。したがって出願人は特許請求の範囲内にあるすべてのものを出願人の発明として請求するものである。
【図１（ａ）】
2013514737.tif 000003
【図１（ｂ）】
2013514737.tif 000004
【図２（ａ）】
2013514737.tif 000005
【図２（ｂ）】
2013514737.tif 000006
【図２（ｃ）】
2013514737.tif 000007
【図２（ｄ）】
2013514737.tif 000008
【図３（ａ）】
2013514737.tif 000009
【図３（ｂ）】
2013514737.tif 000010
【図４（ａ）】
2013514737.tif 000011
【図４（ｂ）】
2013514737.tif 000012
【図４（ｃ）】
2013514737.tif 000013
【図５（ａ）】
2013514737.tif 000014
【図５（ｂ）】
2013514737.tif 000015
【図５（ｃ）】
2013514737.tif 000016
【図６】
2013514737.tif 000017
【図７】
2013514737.tif 000018
【図８】
2013514737.tif 000019
【図９】
2013514737.tif 000020
【図１０】
2013514737.tif 000021
【図１１】
2013514737.tif 000022
【図１２】
2013514737.tif 000023
【図１３】
2013514737.tif 000024
【図１４】
2013514737.tif 000025
【図１５】
2013514737.tif 000026
【国際調査報告】
2013514737.tif 000027
2013514737.tif 000028